(57)【要約】【課題】  従来品では、ネジの違いによりそれに対応したドライバを用意する必要がある。これでは、用意するために時間を無駄にする、利用頻度の少ないドライバは保管や運搬に不便であるといった問題が生じる。【解決手段】  低い温度で溶融する低融点合金６をゴムなどの被覆材７で被覆し工具先端部に取り付ける。低融点合金６を融点以上に加熱し、低融点合金６が溶融した状態で工具先端部をネジ頭８に押し付けることで、低融点合金６がネジ頭８の溝９の形状に沿って変形する。この形状を保持したまま冷却すると、低融点合金６はネジ頭８の溝９の形状を保持したまま凝固するため、ネジを回すことが可能となる。【選択図】図１
2018158433.tif 000002
【特許請求の範囲】
【請求項１】
締結具を回転させる工具であって、低融点合金（６）に被覆材（７）を施した工具先端部と、芯材部（２）と、芯材部（２）と工具先端部を固定する固定具（１）からなることを特徴とする工具。
【請求項２】
芯材部（２）と工具先端部を固定する固定具（１）に回転防止部（１０，１１）を加えたことを特徴とする請求項１に記載の工具。
【請求項３】
芯材部（２）と工具先端部を固定する固定具（１）が可動することを特徴とする請求項１又は２に記載の工具。
【請求項４】
工具先端部を加熱するための加熱手段を備えることを特徴とする請求項１ないし請求項３の何れか一項に記載の工具。
【請求項５】
工具先端部を冷却するための冷却手段を備えることを特徴とする請求項１ないし請求項４の何れか一項に記載の工具。
【発明の詳細な説明】
【発明の詳細な説明】
【技術分野】
【０００１】  本発明は１本であらゆる種類のネジを回すことが可能な万能ドライバ型の工具に関するものである。
【背景技術】
【０００２】  従来では、ネジ頭８の溝９の形状、サイズの違いによりそれに対応したドライバを使用、もしくは、工具の先端部を付け替える必要があった。
【発明の開示】
【発明が解決しようとする課題】
【０００３】  従来品では、ネジの違いによりそれに対応したドライバを用意する必要がある。これでは、用意するために時間を無駄にする、利用頻度の少ないドライバは保管や運搬に不便であるといった問題が生じる。よって、本発明の課題は工具の先端部が自由に変形し、１本の工具であらゆる種類のネジを回すことができる万能ドライバ型の工具を提供することである。
【課題を解決するための手段】
【０００４】  本発明は、締結具を回転させる工具であって、低融点合金に被覆材を施した工具先端部と、芯材部と、芯材部と工具先端部を固定する固定具からなることを特徴とする。【０００５】  すなわち、本発明の工具は、低融点合金６をゴムなどの被覆材７で被覆し工具先端部に取り付ける。低融点合金６には、ウッド合金、はんだ、ローズ合金といった種類があり５０〜２３０度ほどの低い融点を持つ。低融点合金６は融点以上の熱を加えると液体になり、また融点以下に冷却すると凝固するという性質を備える。【０００６】  このため、本発明の工具は、工具先端部を加熱するための加熱手段を備えることを特徴とする。【０００７】  加熱手段として、融点以上の熱湯をかける、セラミックヒーターや電熱線などの電気的な素子を用いる。加熱手段で溶融した状態の工具先端部をネジ頭８に押し付けることで工具先端部がネジ頭８の溝９の形状に沿って変形する。これを凝固させるためには融点よりも低い温度にする必要がある。【０００８】  このため、本発明の工具は、工具先端部を冷却するための冷却手段を備えることを特徴とする。【０００９】  冷却手段として、空冷、水冷、ペルチェ素子などの電気的な素子を用いるといったものがある。冷却すると低融点合金６はネジ頭８の溝９の形状を保持したまま凝固するためネジを回すことが可能となる。【００１０】  さらに、本発明の工具は、芯材部と工具先端部を固定する固定具に回転防止部を加えたことを特徴とする。【００１１】  回転防止部１０，１１を設けることにより凝固した低融点合金６やガイドパイプ１が回転するのを防ぎ、ネジが回転することを円滑にすることができる。【００１２】  さらに、本発明の工具は、芯材部と工具先端部を固定する固定具が可動することを特徴とする。【００１３】  ガイドパイプ１を可動させることにより、工具先端部に露出する低融点合金６の体積を変化させ、様々なネジ頭８の溝９の深さに対応できる。
【発明の効果】
【００１４】  本発明の工具によると、ネジ頭８の溝９の形状に沿って型を取るため、「＋」、「−」、「トルクスネジ」、「六角穴」、「Ｙ字穴」などのネジ頭８、特殊な形状のネジ頭８など幅広く対応できる。また、なめてしまったネジ等も完全な円形でなければ回すことができる。この際に、周囲の部品やネジそのものを損傷、変形させることがない。
【図面の簡単な説明】
【００１５】
【図１】本発明の全体の傾斜図とその透視図である。
【図２】可動ガイドパイプ１が移動した本発明の全体の傾斜図とその透視図である。
【図３】低融点合金６のネジ頭８の溝９の形状への変形の様子である。
【図４】可動ガイドパイプ１有無による低融点合金６の変形の様子である。
【図５】可動ガイドパイプ１の移動の様子である。
【図６】可動ガイドパイプ１の回転防止部１０とその断面図である。
【図７】芯材部２の回転防止部１１とその断面図である。
【発明を実施するための最良の形態】
【００１６】  図１、図２は本発明の全体図である。【００１７】  本発明の工具は、芯材部２の後端に持ち手３を備え、芯材部２の先端に低融点合金６が取り付けられるとともに、芯材部２の先端部にはネジ頭８への押付け時に低融点合金６が外側に向かって変形するのを防ぐ可動ガイドパイプ１が外装されている。低融点合金６は温度の状態変化によりネジ頭８の溝９に沿って変形するもので、５０〜２３０度ほどの低い融点を持ち、耐熱性のある被覆材７で覆われている。【００１８】  芯材部２の途中には可動ガイドパイプ１を前後に可動させるためのバネ４が外装されるとともに、バネ４を固定支持する固定ガイドパイプ５が設けられている。【００１９】  また可動ガイドパイプ１、芯材部２にはそれぞれ、図６および図７に示すように、凹状の回転防止部１０と凸状の回転防止部１１を設けている。【００２０】  図示しないが、芯材部２には、低融点合金６を加熱して溶融させる電気的な素子（電熱線など）を取り付け、また、溶融した低融点合金６を冷却して凝固させる電気的な素子（ペルチェ素子など）を取り付けることができる。【００２１】  図３は低融点合金６によるネジ頭８の溝９の形状への変形の様子を示す。【００２２】  低融点合金６が溶融した状態で工具先端部をネジ頭８に押し付けることで、低融点合金６がネジ頭８の溝９の形状に沿って変形する。この形状を保持したまま冷却すると、低融点合金６はネジ頭８の溝９の形状を保持したまま凝固するため、ネジを回すことが可能となる。【００２３】  図４は可動ガイドパイプ１の有無による低融点合金６の変形の様子である。【００２４】  可動ガイドパイプ１が無い場合、図４（ａ）のように融解した低融点合金６は外側へ広がるように変形し、ネジ頭８の溝９に入り込まない可能性がある。【００２５】  可動ガイドパイプ１を設けることで、図４（ｂ）のように融解した低融点合金６の外側への変形を防ぎ、ネジ頭８の溝９に入りこむ。【００２６】  図５は使用時におけるガイドパイプ１の移動の様子である。図５（ａ）は工具を使用しない通常時を示し、図５（ｂ）は工具を使用し、可動ガイドパイプ１が移動した様子を示す。【００２７】  様々なネジ頭８の溝９の深さに対応させるために、工具先端にあるガイドパイプ１を可動式にして、工具先端部に露出する低融点合金６の体積を変化できるようにした。【００２８】  可動式とするために、可動ガイドパイプ１にバネ４を接続し、固定ガイドパイプ５でバネ４を固定した。バネ４と固定ガイドパイプ５は芯材部２の周囲に設けられ芯材部２により支持される。これにより、バネ４の収縮によってガイドパイプ１が持ち手３側へ後退し、低融点合金４が露出する。【００２９】  図６は可動ガイドパイプ１の回転防止部１０の拡大図、図６（ａ）とその断面図、図６（ｂ）であり、図７は芯材部２の回転防止部１１の拡大図、図７（ａ）とその断面図、図７（ｂ）である。【００３０】  使用時に工具先端部の可動ガイドパイプ１や低融点合金６が回転することを防ぐためにガイドパイプ１の内側に凹状の回転防止部１０を設け、芯材部２の外側にその形状に合致する凸状の回転防止部１１を設けた。なお、凹凸は逆でもよい。
【実施例１】
【００３１】  以下に本発明による実施例について説明する。【００３２】  持ち手３に芯材部２を取り付け、芯材部２に、固定ガイドパイプ５、バネ４可動ガイドパイプ１を取り付けた。この先端部に低融点合金６の一種であるウッド合金にラテックスゴムを被覆材７として被覆を施したものを取り付け、図１の傾斜図のようなドライバ型工具を試作した。【００３３】  本試作品で使用したウッド合金はビスマス５０％、鉛２６．７％、錫１３．３％、カドミウム１０％からなり、融点が７０℃のものである。【００３４】  試作した工具先端部に１００℃の湯をかけ低融点合金６を溶融させた。【００３５】  低融点合金６が溶融している状態で工具先端部をネジ頭８に押し付け、ネジ頭８の溝９の形状に沿ったものに低融点合金４を変形させた。【００３６】  低融点合金６が変形した後、工具の先端部に２０℃の冷水をかけ低融点合金６を凝固させネジ頭８の溝９の形状を記憶させた。【００３７】  ネジ頭８の溝９の形状を記憶した本試作品を使って、記憶させたものと同形状のネジ頭８の溝９の形状を持つネジを回転させられることを確認した。【００３８】  再び１００℃の湯をかけることで低融点合金６が溶融し、これをネジ頭８に押し付け、２０℃の水で冷却することで別の形状のネジ頭８を持つネジを回転させられることを確認した。
【産業上の利用可能性】
【００３９】  本発明は、１本の工具であらゆる種類のネジを回すことができる万能ドライバ型の工具として利用可能である。
【符号の説明】
【００４０】１  可動ガイドパイプ（固定具）
２  芯材部
３  持ち手
４  バネ
５  固定ガイドパイプ
６  低融点合金
７  被覆材
８  ネジ頭
９  ネジ頭の溝
１０  ガイドパイプの回転防止部
１１  芯材部の回転防止部
【図１】
2018158433.tif 000003
【図２】
2018158433.tif 000004
【図３】
2018158433.tif 000005
【図４】
2018158433.tif 000006
【図５】
2018158433.tif 000007
【図６】
2018158433.tif 000008
【図７】
2018158433.tif 000009
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
締結具（８）を回転させるドライバ型の工具であって、芯材部（２）の後端に持ち手（３）を備え、芯材部（２）の先端にゴムからなる被覆材（７）で覆われるとともに加熱により溶融して締結具（８）の溝（９）の形状に沿って変形し冷却により凝固する低融点合金（６）が取り付けられ、芯材部（２）の先端部に通常時に前記低融点合金（６）を覆うとともに使用時に持ち手（３）側に後退して前記低融点合金（６）の先端側を露出させる可動ガイドパイプ（１）が外装され、さらに、芯材部（２）と可動ガイドパイプ（１）との間に、使用時に可動ガイドパイプ（１）と低融点合金（６）が回転することを防ぐ凹凸状の回転防止部（１０、１１）が設けられていることを特徴とするドライバ型の工具。
【手続補正２】
【補正対象書類名】明細書
【補正対象項目名】０００４
【補正方法】変更
【補正の内容】
【０００４】  本発明は、締結具８を回転させるドライバ型の工具であって、芯材部２の後端に持ち手３を備え、芯材部２の先端にゴムからなる被覆材７で覆われるとともに加熱により溶融して締結具８の溝９の形状に沿って変形し冷却により凝固する低融点合金６が取り付けられ、芯材部２の先端部に通常時に前記低融点合金６を覆うとともに使用時に持ち手３側に後退して前記低融点合金６の先端側を露出させる可動ガイドパイプ１が外装され、さらに、芯材部２と可動ガイドパイプ１との間に、使用時に可動ガイドパイプ１と低融点合金６が回転することを防ぐ凹凸状の回転防止部１０、１１が設けられていることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】